【手続補正書】
【提出日】平成19年4月6日(2007.4.6)
【手続補正１】
【補正対象書類名】明細書
【補正対象項目名】特許請求の範囲
【補正方法】変更
【補正の内容】
【特許請求の範囲】
【請求項１】  電磁放射を選択的に散乱、透過させる散乱動作モード及び透過動作モードを備えた電気光学グレージング構造体であって、
第１の光学動作状態及び第２の光学動作状態を備えた積層構造からなる電気光学グレージングパネルと、
該電気光学グレージング構造体に該散乱動作モードを誘発するため該電気光学グレージングパネルを該第１の光学動作状態へ切り換え、該電気光学グレージング構造体に該透過動作モードを誘発するため該電気光学グレージングパネルを該第２の光学動作状態へ切り換える光学状態切換手段と、
を有する電気光学グレージング構造体。
【請求項２】  透過モード及び散乱モードを備えた電気光学グレージング構造体であって、
一対の光学的に透明なパネルの間に配置された電気的に切り換え可能な液晶及び高分子混合材料を含み、
該電気的に切り換え可能な液晶及び高分子混合材料は、該透過モードで動作するとき、全視野角で現れるヘーズが最小限に抑えられる、
電気光学グレージング構造体。
【請求項３】  電磁スペクトルの近紫外領域及び近赤外領域における電磁放射の透過は、吸収されることなく全散乱され、電気光学グレージング構造体が動作するよう要求される温度サイクル範囲を縮小する、
請求項１又は２記載の電気光学グレージング構造体を有するアクティブ制御型ビューイングパネル。
【請求項４】  該電気光学グレージング構造体は、液晶材料を利用する高分子安定化コレステリックテクスチャ（ＰＳＣＴ）から製作される、請求項３記載のアクティブ制御型ビューイングパネル。
【請求項５】  該電気光学グレージング構造体は、表面全体に一様な光学特性を有する、請求項４記載のアクティブ制御型ビューイングパネル。
【請求項６】  液晶相を含まない高分子、すなわち、メソジェニック基を含有しない高分子を使用するＰＳＣＴを基本とする、請求項１又は２記載の電気光学グレージング構造体。
【請求項７】  ＰＳＣＴ材料中に二色性染料が組み込まれているＰＳＣＴを基本とする、請求項１又は２記載の電気光学グレージング構造体。
【請求項８】  表面全体に一様な光学特性を得るため、液晶混合物に界面活性剤を添加する工程を含む、ＰＳＣＴに基づく電気光学グレージング構造体を製造する方法。
【請求項９】  該電気的に切り換え可能な液晶及び高分子混合材料は、内部に無反応性コレステリック液晶分子が支持され、メソジェニック基が含まれていない高分子網である、請求項２記載の電気光学グレージング構造体。
【請求項１０】  該高分子網と無反応性キラル液晶分子の間の結合は、該無反応性コレステリック液晶分子をフォーカルコニック状態に安定化させ、これにより、比較的低い強度の電界で全ての無反応性液晶分子を電界方向に沿って切り換えることができ、全視野角でヘーズの無いデバイスが得られる、請求項２記載の電気光学グレージング構造体。
【請求項１１】  ＰＳＣＴに基づく装置を製造する方法であって、
一対のガラス基板に使用するため第１のフロートガラス膜及び第２のフロートガラス膜を生成する手順（ａ）と、
第１の光学的に透明な導電層を該第１のフロートガラス膜に析出し、同時に第１の導電粒子の組が生成され、第２の光学的に透明な導電層を該第２のフロートガラス膜に析出し、同時に第２の導電性粒子の組が生成される手順（ｂ）と、
第１の光学的に透明な絶縁層を該第１の光学的に透明な導電層に析出し、第２の光学的に透明な絶縁層を該第２の光学的に透明な導電層に析出する手順（ｃ）と、
該第１のフロートガラス膜と該第２のフロートガラス膜が実質的に互いに平行となり、高分子安定化コレステリックテクスチャ（ＰＳＣＴ）材料の層が該第１の光学的に透明な絶縁層と該第２の光学的に透明な絶縁層の間に設けられ、該第１の光学的に透明な絶縁層及び該第２の光学的に透明な絶縁層が該第１の光学的に透明な導電層と該第２の光学的に透明な導電層の間に設けられるように、高分子安定化コレステリックテクスチャ（ＰＳＣＴ）材料の層を該第１のフロートガラス膜と該第２のフロートガラス膜の間に加える手順（ｄ）と、
を有する方法。
【請求項１２】  電子制御の下で標識物を作成する電気的に切り換え可能なＰＳＣＴに基づく標識パネルであって、
間にギャップが設けられ、実質的に平行となるよう配置された第１の基板及び第２の基板と、
像保持部及び背景部を有し、作成されるべき標識物の幾何学的特徴に従って構成され、該第１の基板に形成されたパターン付きの光沢的透明性と導電性のある電極層と、
該第２の基板に形成されたパターン無しの光学的透明性と導電性のある電極層と、
該ギャップ内で、該パターン付きの導電性電極層と該パターン無しの電極層の間に設けられたＰＳＣＴ層と、
該像保持部と、該背景部と、該パターン無しの電極層との間に形成された複数の電気的コネクションと、
該ＰＳＣＴ層と共に組み込まれた液晶を、パネルの半透明状態動作中にフォーカルコニック状態に揃え、又は、パネルの透明状態動作中にホメオトロピック状態に揃え、該標識物を作成するため、電圧源から、該像保持部、該背景部及び該パターン無しの電極層へ制御電圧を供給する複数の制御スイッチと、
を有する電気的に切り換え可能なＰＳＣＴに基づく標識パネル。
【請求項１３】  材料の凝集体が製造工程中に生じることがなく、一様ではない特性がＰＳＣＴ構造体に生ずることがなく、これにより、該パネル中のヘーズのレベルが低下するように、材料混合物として基板に加えられたとき実質的に同じ速度で流れる高分子と液晶材料を一つに混合する手順（ａ）を含む、
ＰＳＣＴに基づく電気光学グレージングパネルを製造する方法。
【請求項１４】  Ａ型モノマーは、唯一の重合可能な基を含み、重合されたとき、調合された混合物に含まれる液晶（ＬＣ）材料の屈折率よりも小さい屈折率をもつ１次元又は２次元のようなポリマーマトリクス構造体を生成し、該液晶材料の粘性特性よりも低い粘性特性をもつモノマーであり、
Ｂ型モノマーは、多数の重合可能な基を含み、重合されたとき、該液晶材料の屈折率と非常に近い屈折率をもつ３次元のようなポリマーマトリクス構造体を生成し、該液晶材料の粘性特性よりも高い粘性特性をもつモノマーであるとき、
液晶（ＬＣ）材料と、Ａ型モノマー及びＢ型モノマーの少なくとも２種類のモノマーを、ＰＳＣＴ材料混合物内で混合する手順（ａ）と、
一対の基板の間に該ＰＳＣＴ材料混合物を設け、該基板が実質的に平行になり、パネル状の構造体を生ずるように該基板を配置する手順（ｂ）と、
ＰＳＣＴに基づく電気光学グレージングパネルが光透過モードで動作しているときに、該液晶材料の屈折率と該Ａ型モノマーの屈折率が適合することによりヘーズのレベルが実質的に低下し、該手順（ａ）及び該手順（ｂ）の間に該液晶材料の粘性特性と該Ａ型モノマー及び該Ｂ型モノマーの粘性特性が適合することにより該パネルの表面全体で非常に一様な光学特性を有するＰＳＣＴ層を該一対の基板の間に生成するため、該Ａ型モノマー及び該Ｂ型モノマーを重合する手順（ｃ）と、
を有する、ＰＳＣＴに基づくパネルを製造する方法。
【請求項１５】  Ａ型モノマーは、唯一の重合可能な基を含み、重合されたとき、調合された混合物に含まれる液晶（ＬＣ）材料の屈折率よりも小さい屈折率をもつ１次元又は２次元のようなポリマーマトリクス構造体を生成し、該液晶材料の粘性特性よりも低い粘性特性をもつモノマーであり、
Ｂ型モノマーは、多数の重合可能な基を含み、重合されたとき、該液晶材料の屈折率と非常に近い屈折率をもつ３次元のようなポリマーマトリクス構造体を生成し、該液晶材料の粘性特性よりも高い粘性特性をもつモノマーであるとき、
液晶（ＬＣ）材料と、Ａ型モノマー及びＢ型モノマーの少なくとも２種類のモノマーを、ＰＳＣＴ材料混合物内で混合する手順（ａ）と、
一対の基板の間に該ＰＳＣＴ材料混合物を設け、該基板が実質的に平行になり、パネル状の構造体を生ずるように該基板を配置する手順（ｂ）と、
(i)全透過動作モード中にヘーズのレベルが著しく低下し、これにより、透けて見える性能が向上し、(ii)液晶材料が内部に組み込まれた１次元又は２次元ポリマーマトリクス構造体と３次元ポリマーマトリクス構造体の混合物を用いることにより長期間の機械的安定性が向上している、ＰＳＣＴ層を該一対の基板の間に生成するため、該Ａ型モノマー及び該Ｂ型モノマーを重合する手順（ｃ）と、
を有する、ＰＳＣＴに基づくパネルを製造する方法。
【請求項１６】  単一の集中装置として統合された電気的に切換可能なエッジライト型標識パネルであって、
電気的に切換可能な目隠し窓として機能し、非常に強化されたプライバシー保護を提供する第１の手段と、
内側環境又は外側環境を照明する電気的に切換可能な発光パネルとして機能する第２の手段と、
昼間又は夜間の何れの環境であっても、照明された標識物を投影する標識板として機能する第３の手段と、
を有する電気的に切換可能なエッジライト型標識パネル。
【請求項１７】  該単一の集中装置は、第１の基板に付加された第１の光学的に透明な導電層と第２の基板に付加された第２の光学的に透明な導電層の間に設けられたＰＳＣＴ層を含み、
該第２の光学的に透明な導電層はパターン無しの層であり、
該第１の光学的に透明な導電層は、該電気的に切換可能なエッジライト型パネルから投影されるように該照明された標識物の幾何形状に従って少なくとも二つの空間的に相補的な部分の形にパターン処理されている、
請求項１６記載の電気的に切換可能なエッジライト型標識パネル。
【請求項１８】  電気的に切換可能な広帯域左旋性コレステリック液晶（ＢＢＬＨ  ＣＬＣ）パネルと、
電気的に切換可能な広帯域右旋性コレステリック液晶（ＢＢＲＨ  ＣＬＣ）パネルと、
幾何学的にパターン処理された第１の光学的に透明な導電層、パターン無しの第２の光学的に透明な導電層を含み、電気制御型発光素子のペアによってエッジ照明可能である、電気的に切換可能なＰＳＣＴパネルと、
該広帯域左旋性コレステリック液晶パネル及び該広帯域右旋性コレステリック液晶パネルに印加された制御電圧の組に応じて、該広帯域左旋性コレステリック液晶パネル及び該広帯域右旋性コレステリック液晶パネルが反射動作モードと透過動作モードの間で電気的に切り換えられるように配置された、複数のパターン無しの光学的に透明な導電層と、
を有する、電気的に切換可能なエッジライト型標識パネル。